【手続補正書】
【提出日】平成21年3月11日(2009.3.11)
【手続補正１】
【補正対象書類名】特許請求の範囲
【補正対象項目名】全文
【補正方法】変更
【補正の内容】
【特許請求の範囲】
【請求項１】
（ａ）水溶性石鹸が得られるように粒子分解された有機残渣に水混和性化合物を混合し、
（ｂ）均一相石鹸組成相ができるまで前記有機残渣を拡散させることを特徴とする有機残渣から作られた石鹸の製造方法。
【請求項２】
加水分解が起こるような塩基性条件で行う工程を加えたことを特徴とする請求項１に記載の有機残渣から作られた石鹸の製造方法。
【請求項３】
水溶性石鹸にグリセロールを添加混合する工程を更に加えたことを特徴とする請求項１に記載の有機残渣から作られた石鹸の製造方法。
【請求項４】
前記有機残渣が、オリーブオイル、オリーブ製品、オリーブの木の製品、オリーブオイル製造残渣、ワイン製造残渣、果実乃至野菜残渣、缶詰食品残渣、あるいは、これらの混合材料から選ばれたことを特徴とする請求項１に記載の有機残渣から作られた石鹸の製造方法。
【請求項５】
（ｉ）スルホン酸塩、ラウリン酸塩、エタノールアミン、ラウリン酸のエタノールアミンの混合物、あるいは、前記成分の混合物よりなる群から合成界面活性剤を選び、（ｉｉ）前記水溶性石鹸の少なくとも一部を１種類以上の合成界面活性剤に置換する工程を更に加えたことを特徴とする請求項１に記載の有機残渣から作られた石鹸の製造方法。
【請求項６】
ホウ酸乃至ホウ酸塩を添加する工程を更に加え、前記ホウ酸塩が、ナトリウム、カリウム、マグネシウム、カルシウム、バリウム、マンガン、ホウ酸鉄、あるいは、これらの混合物よりなる群から選ばれたことを特徴とする請求項１に記載の有機残渣から作られた石鹸の製造方法。
【請求項７】
（ｉ）セージ、レモン、ベルガモット、ナガバクコ、ミント、マツ、ビャクダン、パチョリ、レモングラス、ペパーミント、グレープフルーツ、オリダニウム、マヌカ、ユーカリ、ゼラニウム、チョウジ、シナモン、メリッサ、リンネル花、セントジョンズワート油、キンセンカ、アルニカ、ニセアカシアの種子、カーネーションオイル、カモミール、ペパーミント油、キャラウェーの種子、カラマツ、ビャクシン、ローズマリー、ユーカリ油、ラベンダー、モミ針葉油、ベルガモット油、かんきつ油、レモンバーム、マジョラム、タイム、バジル、ウイキョウよりなる植物油群から天然油を選び、（ｉｉ）前記天然油を添加する工程を更に加えたことを特徴とする請求項１に記載の有機残渣から作られた石鹸の製造方法。
【請求項８】
（ｉ）香料、安定剤、増粘剤、乳化剤、ビタミン類、遊離基捕捉剤、調整剤、抗酸化物質、親油性植物エキス、親水性植物エキスよりなる群から少なくとも１種類の添加剤を選び、（ｉｉ）水混和性溶液に前記添加剤を混合する工程を更に加えたことを特徴とする請求項１に記載の有機残渣から作られた石鹸の製造方法。
【請求項９】
前記加水分解工程は、植物性油脂、獣脂、動物性脂肪、肝油、グリセリンよりなる群から選ばれたオイルを水酸化ナトリウムあるいは苛性カリを用いて加水分解することを特徴とする請求項１に記載の有機残渣から作られた石鹸の製造方法。
【請求項１０】
水酸化ナトリウムあるいは苛性カリをオレイン酸、トールオイル、ステアリン酸、ステアリンよりなる１以上の群で反応させる工程を更に加えたことを特徴とする請求項１に記載の有機残渣から作られた石鹸の製造方法。
【請求項１１】
オリーブ石鹸を製造する方法であって、
オリーブを洗浄し、
オリーブをすり潰してペースト状にし、
オリーブオイルの収量を高めるために混合し、
オイルと水を搾りカスから分離し、
ポリフェノールを多量に含んだ水から油分を分離させ、
前記油分を加水分解して水溶性石鹸を作り出し、
水溶性石鹸の水混和性溶液中の前記搾りカス有機残渣を均一相石鹸組成相になるまで溶液中に拡散する
工程よりなることを特徴とする請求項１に記載の有機残渣から作られた石鹸の製造方法。
【請求項１２】
オリーブがペースト状にすり潰される直前にオリーブから種子部分を取り除いて種子粕のないオリーブオイルを作り出す工程を加えたことを特徴とする請求項１１に記載の有機残渣から作られた石鹸の製造方法。
【請求項１３】
オリーブがペースト状にすり潰される直前にオリーブから種子部分を取り除き、搾りカスに種子粕を混ぜ込む工程を加えたことを特徴とする請求項１１に記載の有機残渣から作られた石鹸の製造方法。
【請求項１４】
オリーブがペースト状にすり潰される直前にオリーブから種子部分を取り除き、得られた石鹸に種子粕を混ぜ込む工程を加えたことを特徴とする請求項１１に記載の有機残渣から作られた石鹸の製造方法。
【請求項１５】
均一相石鹸組成相が得られるまでポリフェノールを多量に含んだ水を石鹸と混ぜ合わせる工程を加えたことを特徴とする請求項１１に記載の有機残渣から作られた石鹸の製造方法。
【請求項１６】
均一相石鹸組成相が得られるまでエーテル油と前記石鹸を混ぜ合わせる工程を加えたことを特徴とする請求項１１に記載の有機残渣から作られた石鹸の製造方法。
【請求項１７】
上記工程における少なくとも一部を無酸素環境で行う工程を加えたことを特徴とする請求項１１に記載の有機残渣から作られた石鹸の製造方法。
【請求項１８】
水溶性石鹸が得られるように粒子分解された有機残渣に水混和性化合物を混合し、均一相石鹸組成相ができるまで前記有機残渣を拡散させる工程よりなる方法により得たことを特徴とする有機残渣から作られた石鹸。
【請求項１９】
製造方法が、オリーブを洗浄し、オリーブをすり潰してペースト状にし、オリーブオイルの収量を高めるために混合し、オイルと水を搾りカスから分離し、ポリフェノールを多量に含んだ水から油分を分離させ、前記油分を加水分解して水溶性石鹸を作り出し、水溶性石鹸の水混和性溶液中の前記搾りカス有機残渣を均一相石鹸組成相になるまで溶液中に拡散する工程よりなることを特徴とする請求項１８に記載の有機残渣から作られた石鹸。
【請求項２０】
溶加剤を加え、前記溶加剤が、炭酸カルシウム、滑石、白雲石、パーライト、炭酸マグネシウムよりなる群から選ばれたことを特徴とする請求項１８に記載の有機残渣から作られた石鹸。
【請求項２１】
保存料であって、ナトリウム、カリウム、マグネシウム、カルシウム、バリウム、マンガン、ホウ酸鉄よりなる群から選ばれたホウ酸塩を加え、前記ホウ酸塩の濃度が０．１％〜５．０％の範囲であることを特徴とする請求項１８に記載の有機残渣から作られた石鹸。
【請求項２２】
０．１％〜５．０％（重量パーセント）濃度のエーテル油であって、セージ、レモン、ベルガモット、ナガバクコ、ミント、マツ、ビャクダン、パチョリ、レモングラス、ペパーミント、グレープフルーツ、オリダニウム、マヌカ、ユーカリ、ゼラニウム、チョウジ、シナモン、メリッサ、リンネル花、セントジョンズワート油、キンセンカ、アルニカ、ニセアカシアの種子、カーネーションオイル、カモミール、ペパーミント油、キャラウェーの種子、カラマツ、ビャクシン、ローズマリー、ユーカリ油、ラベンダー、モミ針葉油、ベルガモット油、かんきつ油、レモンバーム、マジョラム、タイム、バジル、ウイキョウよりなる群から選ばれた果物乃至野菜から生成したエーテル油を加えたことを特徴とする請求項１８に記載の有機残渣から作られた石鹸。
【請求項２３】
天然石鹸、グリセロール、メチルパラベン、プロピルパラベンよりなる群から選ばれた添加剤を加えたことを特徴とする請求項１８に記載の有機残渣から作られた石鹸。
【請求項２４】
前記有機残渣が、搾った油糟から得た製品であって、オリーブオイル、大豆油、アマニ油、ひまわり油、あるいは、これらの混合成分よりなる群から選ばれた搾った油糟であることを特徴とする請求項１８に記載の有機残渣から作られた石鹸。
【請求項２５】
搾った油糟から得た製品であって、オリーブの粉砕種子、搾り汁製品あるいは木汁、種子殻や種子原料を取り除いたことを特徴とする種子粕のないオリーブオイルよりなる群から選ばれた製品を加えたことを特徴とする請求項１８に記載の有機残渣から作られた石鹸。